(57)【要約】【課題】輝度均一性を改善する制御方法、輝度校正コントローラ及び表示装置を提供する。【解決手段】パネルの座標に夫々対応する複数のサンプリングピクセルを含むパネルを備える表示装置の輝度均一性を改善する制御方法は、入力ピクセルを受信する段階と、入力ピクセルの座標と複数のサンプリングピクセルの座標に基づいて、入力ピクセルの複数の隣接サンプリングピクセルを定める段階と、夫々１個の隣接サンプリングピクセルの複数の輝度校正値を含む、複数の隣接サンプリングピクセルの複数のガンマテーブルを受信する段階と、入力ピクセルのグレイレベルに基づいて、入力ピクセルのグレイレベルに対応する特定の輝度校正値を各ガンマテーブルから取得する段階と、入力ピクセルの座標と、複数の隣接サンプリングピクセルの座標と、複数の特定輝度校正値に基づいて、入力ピクセルの輝度校正値を計算する段階とを含む。【選択図】図１
2011039477.tif 000002
【特許請求の範囲】
【請求項１】
パネルの座標にそれぞれ対応する複数のサンプリングピクセルを含むパネルを備える表示装置の輝度均一性を改善する制御方法であって、
入力ピクセルを受信する段階と、
前記入力ピクセルの座標と前記複数のサンプリングピクセルの座標に基づいて、前記入力ピクセルの複数の隣接サンプリングピクセルを定める段階と、
それぞれ１個の隣接サンプリングピクセルの複数の輝度校正値を含む、前記複数の隣接サンプリングピクセルの複数のガンマテーブルを受信する段階と、
前記入力ピクセルのグレイレベルに基づいて、前記入力ピクセルの前記グレイレベルに対応する特定の輝度校正値を前記各ガンマテーブルから取得する段階と、
前記入力ピクセルの座標と、前記複数の隣接サンプリングピクセルの座標と、複数の特定輝度校正値に基づいて、前記入力ピクセルの輝度校正値を計算する段階と、
を含む、制御方法。
【請求項２】
前記制御方法は更に、前記複数のサンプリングピクセルの前記ガンマテーブルを保存する段階を含む、請求項１に記載の制御方法。
【請求項３】
前記入力ピクセルの座標と、前記複数の隣接サンプリングピクセルの座標と、前記複数の特定輝度校正値に基づいて、前記入力ピクセルの輝度校正値を計算する段階は、
前記入力ピクセルの座標と前記複数の隣接サンプリングピクセルの座標に基づいて、前記入力ピクセルと前記複数の隣接サンプリングピクセルとの間の複数の距離を計算する段階と、
前記複数の距離に基づいて、前記複数の特定校正値に対応する前記入力ピクセルの輝度校正値の複数の加重値を加重和法で計算する段階と、
を含む、請求項１に記載の制御方法。
【請求項４】
前記制御方法は更に、
前記入力ピクセルのグレイレベルと前記入力ピクセルの輝度校正値との和を計算する段階と、
前記グレイレベルと前記輝度校正値の和を前記パネルに出力することで前記入力ピクセルの表示する段階と、
を含む、請求項１に記載の制御方法。
【請求項５】
パネルの座標にそれぞれ対応する複数のサンプリングピクセルを含むパネルを備える表示装置の輝度均一性を改善する輝度校正コントローラであって、
入力ピクセルを受信する受信端と、
前記入力ピクセルの座標と前記複数のサンプリングピクセルの座標に基づいて、前記入力ピクセルの複数の隣接サンプリングピクセルを定める隣接サンプリングピクセル判定ユニットと、
それぞれ１個の隣接サンプリングピクセルの複数の輝度校正値を含む、前記複数の隣接サンプリングピクセルの複数のガンマテーブルを受信するルックアップテーブルアクセスユニットと、
前記入力ピクセルに対応するグレイレベルに基づいて、前記入力ピクセルの当該グレイレベルに対応する特定の輝度校正値を前記各ガンマテーブルから取得する校正値アクセスユニットと、
前記入力ピクセルの座標と、前記複数の隣接サンプリングピクセルの座標と、複数の特定輝度校正値に基づいて、前記入力ピクセルの輝度校正値を計算する補償計算ユニットと、
を含む、輝度校正コントローラ。
【請求項６】
前記輝度校正コントローラは更に、前記複数のサンプリングピクセルの前記ガンマテーブルを保存するルックアップメモリを含む、請求項５に記載の輝度校正コントローラ。
【請求項７】
前記ルックアップテーブルアクセスユニットは、前記ルックアップメモリにアクセスして前記複数の隣接サンプリングピクセルの前記複数のガンマテーブルを取得するために用いられる、請求項６に記載の輝度校正コントローラ。
【請求項８】
前記ルックアップメモリはＤＲＡＭ（ダイナミックランダムアクセスメモリ）である、請求項５に記載の輝度校正コントローラ。
【請求項９】
前記輝度校正コントローラは更に、前記ルックアップテーブルアクセスユニットと前記校正値アクセスユニットとの間に結合され、前記複数の隣接サンプリングピクセルの前記複数のガンマテーブルを一時保存するキャッシュメモリを含む、請求項５に記載の輝度校正コントローラ。
【請求項１０】
前記ルックアップメモリはＳＲＡＭ（スタティックランダムアクセスメモリ）である、請求項５に記載の輝度校正コントローラ。
【請求項１１】
前記補償計算ユニットは、前記入力ピクセルの座標と前記複数の隣接サンプリングピクセルの座標に基づいて、前記入力ピクセルと前記複数の隣接サンプリングピクセルとの間の複数の距離を計算し、当該複数の距離に基づいて、前記複数の特定校正値に対応する前記入力ピクセルの輝度校正値の複数の加重値を加重和法で計算するために用いられる、請求項５に記載の輝度校正コントローラ。
【請求項１２】
前記輝度校正コントローラは更に、前記補償計算ユニットと前記パネルとの間に結合され、前記入力ピクセルのグレイレベルと前記入力ピクセルの輝度校正値との和を計算し、当該グレイレベルと当該輝度校正値の和を前記パネルに出力することで前記入力ピクセルの表示する校正出力ユニットを含む、請求項５に記載の輝度校正コントローラ。
【請求項１３】
輝度均一性を改善できる表示装置であって、
パネルの座標にそれぞれ対応する複数のサンプリングピクセルを含むパネルと、
複数の入力ピクセルを受信する画像受信ユニットと、
輝度校正コントローラと、
を含み、
前記輝度校正コントローラは、
前記入力ピクセルの座標と前記複数のサンプリングピクセルの座標に基づいて、前記入力ピクセルの複数の隣接サンプリングピクセルを定める隣接サンプリングピクセル判定ユニットと、
それぞれ１個の隣接サンプリングピクセルの複数の輝度校正値を含む、前記複数の隣接サンプリングピクセルの複数のガンマテーブルを受信するルックアップテーブルアクセスユニットと、
前記入力ピクセルに対応するグレイレベルに基づいて、前記入力ピクセルの当該グレイレベルに対応する特定の輝度校正値を前記各ガンマテーブルから取得する校正値アクセスユニットと、
前記入力ピクセルの座標と、前記複数の隣接サンプリングピクセルの座標と、複数の特定輝度校正値に基づいて、前記入力ピクセルの輝度校正値を計算する補償計算ユニットと、
を含む、表示装置。
【請求項１４】
前記表示装置は更に、前記複数のサンプリングピクセルの前記ガンマテーブルを保存するルックアップメモリを含む、請求項１３に記載の表示装置。
【請求項１５】
前記ルックアップテーブルアクセスユニットは、前記ルックアップメモリにアクセスして前記複数の隣接サンプリングピクセルの前記複数のガンマテーブルを取得するために用いられる、請求項１４に記載の表示装置。
【請求項１６】
前記ルックアップメモリはＤＲＡＭである、請求項１５に記載の表示装置。
【請求項１７】
前記表示装置は更に、前記ルックアップテーブルアクセスユニットと前記校正値アクセスユニットとの間に結合され、前記複数の隣接サンプリングピクセルの前記複数のガンマテーブルを一時保存するキャッシュメモリを含む、請求項１３に記載の表示装置。
【請求項１８】
前記ルックアップメモリはＳＲＡＭである、請求項１７に記載の表示装置。
【請求項１９】
前記補償計算ユニットは、前記入力ピクセルの座標と前記複数の隣接サンプリングピクセルの座標に基づいて、前記入力ピクセルと前記複数の隣接サンプリングピクセルとの間の複数の距離を計算し、当該複数の距離に基づいて、前記複数の特定校正値に対応する前記入力ピクセルの輝度校正値の複数の加重値を加重和法で計算するために用いられる、請求項１３に記載の表示装置。
【請求項２０】
前記表示装置は更に、前記補償計算ユニットとパネルとの間に結合され、前記入力ピクセルのグレイレベルと前記入力ピクセルの輝度校正値との和を計算し、当該グレイレベルと当該輝度校正値の和をパネルに出力することで前記入力ピクセルの表示する校正出力ユニットを含む、請求項１３に記載の表示装置。
【発明の詳細な説明】
【技術分野】
【０００１】
本発明は、表示装置の輝度均一性を改善する制御方法と、関連する輝度校正コントローラと表示装置に関し、特に、少数のガンマテーブルを利用してピクセル全体の輝度均一性（ｌｕｍｉｎｏｕｓ  ｕｎｉｆｏｒｍｉｔｙ）を改善する制御方法と、関連する輝度校正コントローラと表示装置に関する。
【背景技術】
【０００２】
映像表示技術の進歩につれて、消費者は更に高品質の表示装置を求め続けている。表示装置の品質を判断する方法は一般に数通りある。例えば、品質がよい表示装置は高度の安定性と信頼性を兼ね備え、その表示画像は良好な品質を有する。画像の品質を改善するために、表示装置は高解像度で鮮明な色を表示し、その表示画像の輝度は均一でなければならない。液晶表示装置を例にすれば、液晶バックライトの輝度分布は完璧ではなく、異なるピクセル間の駆動電圧と液晶特性は異なりうるので、液晶表示装置は輝度均一性が良好ではない。そのため、輝度の均一さを実現するために数種の校正方法が考えられる。一般の消費者の視点から見れば、輝度校正が行われていない液晶表示装置により表示される同じグレイレベルの画像を観測すると、消費者は同じグレイレベルの画像データの輝度が表示装置の表示領域によって非常に異なっていることを発見できる。一方、同じグレイレベルの表示画像の測定に精密な輝度計を適用すれば、ピクセルによって異なる輝度値が読み取られ、大差が出る場合もある。通常、表示画像の中心部と境界部の輝度値を比較すれば、著しい輝度差が観測される。この状況で輝度をより均一にするために、表示装置に輝度校正専用の回路を内蔵し、表示装置の製作工程に厳密な輝度校正プロセスを適用しなければならない。製作工程で校正プロセスを実行した後、表示装置は通常モードの動作時に入力画像データに対して輝度校正（輝度補償とも称する）を実行する。それにより表示画像の輝度均一性は良好で、表示装置は高品質なものとなる。
【０００３】
輝度校正の目的は、表示装置のいずれか２つのピクセルが同じグレイレベルの画像データを表示するとき、同じ輝度値を表示できるようにすることにある。前述のような諸般の理由で、輝度校正を経ていない表示装置のいずれか２つのピクセルは同じグレイレベルについて同じ輝度値を表示しそうがない。したがって、輝度の均一性を改善するために、輝度校正プロセスが必要である。輝度校正法は画像データの入力グレイレベルを調整して新しいグレイレベルを生成し、表示輝度を入力グレイレベルにできるだけ近づけさせる。新しいグレイレベルと本来の入力グレイレベルとの差は輝度校正値δＥと呼ばれる。一般に、表示装置のピクセル数は極めて多いので、ピクセルごとに行う輝度校正は大量な時間を要する。１台の表示装置の校正プロセスが完成するまで数時間ないし数十時間が必要で、コストが高い。一方、輝度校正の完成後、表示装置はピクセルごとに全グレイレベルの校正値δＥを保存するためにメモリ装置を要する。校正値を全部保存するためには回路に大量なメモリ空間が必要とされ、場合によって外部ＤＲＡＭ（ダイナミックランダムアクセスメモリ）まで必要である。
【発明の概要】
【発明が解決しようとする課題】
【０００４】
したがって、本発明の主な目的は、表示装置の輝度均一性を改善する制御方法と、関連する輝度校正コントローラと表示装置を提供することにある。
【課題を解決するための手段】
【０００５】
本発明では、パネルの座標にそれぞれ対応する複数のサンプリングピクセルを含むパネルを備える表示装置の輝度均一性を改善する制御方法を開示する。制御方法は、入力ピクセルを受信する段階と、入力ピクセルの座標と複数のサンプリングピクセルの座標に基づいて、入力ピクセルの複数の隣接サンプリングピクセルを定める段階と、それぞれ１個の隣接サンプリングピクセルの複数の輝度校正値を含む、複数の隣接サンプリングピクセルの複数のガンマテーブルを受信する段階と、入力ピクセルのグレイレベルに基づいて、入力ピクセルのグレイレベルに対応する特定の輝度校正値を各ガンマテーブルから取得する段階と、入力ピクセルの座標と、複数の隣接サンプリングピクセルの座標と、複数の特定輝度校正値に基づいて、入力ピクセルの輝度校正値を計算する段階と、を含む。
【０００６】
本発明では更に、パネルの座標にそれぞれ対応する複数のサンプリングピクセルを含むパネルを備える表示装置の輝度均一性を改善する輝度校正コントローラを開示する。輝度校正コントローラは、入力ピクセルを受信する受信端と、入力ピクセルの座標と複数のサンプリングピクセルの座標に基づいて、入力ピクセルの複数の隣接サンプリングピクセルを定める隣接サンプリングピクセル判定ユニットと、それぞれ１個の隣接サンプリングピクセルの複数の輝度校正値を含む、複数の隣接サンプリングピクセルの複数のガンマテーブルを受信するルックアップテーブルアクセスユニットと、入力ピクセルに対応するグレイレベルに基づいて、入力ピクセルの当該グレイレベルに対応する特定の輝度校正値を前記各ガンマテーブルから取得する校正値アクセスユニットと、入力ピクセルの座標と、複数の隣接サンプリングピクセルの座標と、複数の特定輝度校正値に基づいて、入力ピクセルの輝度校正値を計算する補償計算ユニットとを含む。
【０００７】
本発明では更に、輝度均一性を改善できる表示装置を開示する。表示装置は、パネルの座標にそれぞれ対応する複数のサンプリングピクセルを含むパネルと、複数の入力ピクセルを受信する画像受信ユニットと、輝度校正コントローラとを含む。輝度校正コントローラは、入力ピクセルの座標と複数のサンプリングピクセルの座標に基づいて、入力ピクセルの複数の隣接サンプリングピクセルを定める隣接サンプリングピクセル判定ユニットと、それぞれ１個の隣接サンプリングピクセルの複数の輝度校正値を含む、複数の隣接サンプリングピクセルの複数のガンマテーブルを受信するルックアップテーブルアクセスユニットと、入力ピクセルに対応するグレイレベルに基づいて、入力ピクセルの当該グレイレベルに対応する特定の輝度校正値を前記各ガンマテーブルから取得する校正値アクセスユニットと、入力ピクセルの座標と、複数の隣接サンプリングピクセルの座標と、複数の特定輝度校正値に基づいて、入力ピクセルの輝度校正値を計算する補償計算ユニットとを含む。
【発明の効果】
【０００８】
本発明は、表示装置の輝度均一性を改善する制御方法と、関連する輝度校正コントローラと、表示装置と、を提供する。
【図面の簡単な説明】
【０００９】
【図１】本発明の実施例による輝度校正関数を有する表示装置を表す説明図である。
【図２Ａ】入力ピクセルとサンプリングピクセルの幾何学的関係を表す説明図である。
【図２Ｂ】入力ピクセルとサンプリングピクセルの幾何学的関係を表す説明図である。
【図３】本発明の実施例による表示装置の輝度均一性を改善するために用いられる制御プロセスを表す説明図である。
【発明を実施するための形態】
【００１０】
次に、添付した図面を参照しながら、本発明の好適な実施形態を詳細に説明する。
【００１１】
表示装置の輝度校正に要する時間を減らすために、アメリカ特許出願第１２／６０８，００１号では、輝度とグレイレベルの測定データを指数関係から、より簡単な線形関係に変換する数学的変換関数を適用する輝度校正方法を開示している。その後、各サンプリングピクセルの残りのグレイレベルの輝度・グレイレベル関係を実測せずに線形補間法で求め、サンプリングピクセルごとに専用の線形校正関数を確立する。次にサンプリングピクセルの線形校正関数を基準ピクセルの線形校正関数と比較し、各サンプリングピクセルの入力グレイレベルと調整済みグレイレベルの差異値を判定する。判定された差異値は輝度校正値δＥと呼ばれ、それに基づいてサンプリングピクセルのガンマテーブルが算出できる。サンプリングピクセルの数量はスクリーンのピクセル総数より遥かに少ない（一般の場合、ピクセルの総数は数十万から数百万で、サンプリングピクセルの数量は数百から数千である）ので、表示装置の校正時間を大幅に削減できる。しかし、校正の完成後、表示装置は通常モードで動作し、全ピクセル（サンプリングピクセルを含む）に対して輝度校正を実行しなければならない。したがって、本発明の主な目的は、サンプリングピクセルのガンマテーブルのみで全ピクセルの輝度校正を行う方法を開示することにある。
【００１２】
図１を参照する。図１は本発明の実施例による輝度校正関数を有する表示装置１０を表す説明図である。表示装置１０はパネルＰＡＮＥＬと、画像受信ユニット１００と、輝度校正コントローラ１０２とを含む。パネルＰＡＮＥＬはマトリックスとして配列された大量の表示素子を含み、表示素子の一部はサンプリングピクセルＳＰ＿１〜ＳＰ＿Ｍとされる。画像受信ユニット１００は外部画像データストリームから抽出されたグレイレベルデータに基づいて、パネルＰＡＮＥＬの表示素子に対応する入力ピクセルＩＮＰ＿１〜ＩＮＰ＿ｎを受信するために用いられる。輝度校正コントローラ１０２は受信された入力ピクセルＩＮＰ＿１〜ＩＮＰ＿ｎのすべてに対して輝度校正を実行するために用いられ、ルックアップメモリ２２０と、隣接サンプリングピクセル判定ユニット２２２と、ルックアップテーブル（ＬＵＴ）アクセスユニット２２４と、校正値アクセスユニット２２８と、補償計算ユニット２３０と、校正出力ユニット２３２とを含む。ルックアップメモリ２２０はサンプリングピクセルＳＰ＿１〜ＳＰ＿Ｍに対応するガンマテーブルＧＡＴ＿１〜ＧＡＴ＿Ｍを保存するために用いられ、各ガンマテーブルＧＡＴ＿ｘは１個のサンプリングピクセルＳＰ＿ｘに対応する複数の輝度校正値を含む。ガンマテーブルＧＡＴ＿１〜ＧＡＴ＿Ｍの内容はアメリカ特許出願第１２／６０８，００１号で開示された方法により確定することが望ましいが、本発明はそれに限らない。隣接サンプリングピクセル判定ユニット２２２は入力ピクセルＩＮＰ＿ｉの座標とサンプリングピクセルＳＰ＿１〜ＳＰ＿Ｍの座標に基づいて、入力ピクセルＩＮＰ＿ｉに隣接したサンプリングピクセルＳＰ＿ａ、ＳＰ＿ｂ、ＳＰ＿ｃ、ＳＰ＿ｄをサンプリングピクセルＳＰ＿１〜ＳＰ＿Ｍから（判定により）選択するために用いられる。ルックアップアクセスユニット２２４はサンプリングピクセルＳＰ＿ａ、ＳＰ＿ｂ、ＳＰ＿ｃ、ＳＰ＿ｄに対応するガンマテーブルＧＡＴ＿ａ、ＧＡＴ＿ｂ、ＧＡＴ＿ｃ、ＧＡＴ＿ｄを読み込むために用いられる。校正値アクセスユニット２２８はグレイレベルＧＬ＿ｉに対応する入力ピクセルＩＮＰ＿ｉに基づいて、グレイレベルＧＬ＿ｉに対応する輝度校正値δＥ＿ａ、δＥ＿ｂ、δＥ＿ｃ、δＥ＿ｄをガンマテーブルＧＡＴ＿ａ、ＧＡＴ＿ｂ、ＧＡＴ＿ｃ、ＧＡＴ＿ｄから検出するために用いられる。補償計算ユニット２３０は入力ピクセルＩＮＰ＿ｉとサンプリングピクセルＳＰ＿１〜ＳＰ＿Ｍの座標、及び輝度校正値δＥ＿ａ、δＥ＿ｂ、δＥ＿ｃ、δＥ＿ｄに基づいて、入力ピクセルＩＮＰ＿ｉの輝度校正値δＥ＿ｉを計算する。最後に、校正出力ユニット２３２はグレイレベルＧＬ＿ｉと輝度校正値δＥ＿ｉの和を計算し、その結果をパネルＰＡＮＥＬに出力する。
【００１３】
簡単に言えば、画像受信ユニット１００で入力ピクセルＩＮＰ＿ｉを受信した後、隣接サンプリングピクセル判定ユニット２２２はまず入力ピクセルＩＮＰ＿ｉに隣接したサンプリングピクセルＳＰ＿ａ、ＳＰ＿ｂ、ＳＰ＿ｃ、ＳＰ＿ｄを定め、ルックアップアクセスユニット２２４は対応するガンマテーブルＧＡＴ＿ａ、ＧＡＴ＿ｂ、ＧＡＴ＿ｃ、ＧＡＴ＿ｄを選択して入力する。校正値アクセスユニット２２８はグレイレベルＧＬ＿ｉに対応する輝度校正値δＥ＿ａ、δＥ＿ｂ、δＥ＿ｃ、δＥ＿ｄをガンマテーブルＧＡＴ＿ａ、ＧＡＴ＿ｂ、ＧＡＴ＿ｃ、ＧＡＴ＿ｄから検出する。補償計算ユニット２３０は入力ピクセルＩＮＰ＿ｉとサンプリングピクセルＳＰ＿ａ、ＳＰ＿ｂ、ＳＰ＿ｃ、ＳＰ＿ｄの座標、及び輝度校正値δＥ＿ａ、δＥ＿ｂ、δＥ＿ｃ、δＥ＿ｄに基づいて、入力ピクセルＩＮＰ＿ｉの輝度校正値δＥ＿ｉを計算し、校正出力ユニット２３２を通して校正結果（ＧＬ＿ｉ＋δＥ＿ｉ）をパネルＰＡＮＥＬに出力する。言い換えれば、輝度校正コントローラ１０２は入力ピクセルＩＮＰ＿ｉとそれに隣接したサンプリングピクセルＳＰ＿ａ〜ＳＰ＿ｄのガンマテーブルＧＡＴ＿ａ〜ＧＡＴ＿ｄに基づいて、入力ピクセルＩＮＰ＿ｉの輝度校正値δＥ＿ｉを定めるために用いられる。したがって、各入力ピクセルに対して輝度校正を行うためには、パネルＰＡＮＥＬの一部のピクセル（すなわちサンプリングピクセルＳＰ＿１〜ＳＰ＿Ｍ）のガンマテーブルのみルックアップメモリ２２０に保存すればよい。
【００１４】
注意すべきは、図１に示す表示装置１０は本発明の一実施例に過ぎず、本発明はそれに限らず各種の修正がなしうることは、当業者に理解できるはずである。例えば、入力ピクセルＩＮＰ＿ｉに隣接したサンプリングピクセルＳＰ＿ａ〜ＳＰ＿ｄの数量は４個に限らず、８個や１２個にしても可能である。また、補償計算ユニット２３０は加重和で入力ピクセルＩＮＰ＿ｉの輝度校正値δＥ＿ｉを計算することが望ましい。言い換えれば、入力ピクセルＩＮＰ＿ｉとサンプリングピクセルＳＰ＿ａ〜ＳＰ＿ｄの座標で入力ピクセルＩＮＰ＿ｉと各サンプリングピクセルＳＰ＿ａ〜ＳＰ＿ｄとの距離を決定し、この距離を加重値として輝度校正値δＥ＿ａ、δＥ＿ｂ、δＥ＿ｃ、δＥ＿ｄと掛け算して輝度校正値δＥ＿ｉを算出する。換言すれば、入力ピクセルＩＮＰ＿ｉと隣接サンプリングピクセルのいずれかとの距離が長くなると、その隣接サンプリングピクセルの輝度校正値の寄与が小さくなる。例えば図２Ａと図２Ｂを参照する。図２Ａと図２Ｂは入力ピクセルＩＮＰ＿１、ＩＮＰ＿２とサンプリングピクセルＳＰ＿ａ〜ＳＰ＿ｄの幾何学的関係を表す説明図である。図２Ａでは、入力ピクセルは４つの隣接サンプリングピクセルＳＰ＿ａ〜ＳＰ＿ｄの等距離点にある。この場合、サンプリングピクセルＳＰ＿ａ〜ＳＰ＿ｄに対応する輝度校正値δＥ＿ａ〜δＥ＿ｄは０．２５と定められる。一方、図２Ｂに示すように、入力ピクセルＩＮＰ＿１はサンプリングピクセルＳＰ＿ａに近寄っている。図２に示す距離によれば、サンプリングピクセルＳＰ＿ａ〜ＳＰ＿ｄに対応する輝度校正値δＥ＿ａ〜δＥ＿ｄはそれぞれ０．３７５、０．１２５、０．２５、０．２５と定められる。
【００１５】
そのほか、図１に示すように、ルックアップテーブルアクセスユニット２２４はルックアップメモリ２２０に保存されたガンマテーブルにアクセスするために用いられる。ルックアップメモリ２２０の設計はシステム仕様とデータ量によって異なりうる。例えば、ガンマテーブルＧＡＴ＿１〜ＧＡＴ＿Ｍに対応するデータ量が相対的に小さい場合、ルックアップメモリ２２０として集積回路内蔵のフラッシュメモリを使用することができる。それに反して、ガンマテーブルＧＡＴ＿１〜ＧＡＴ＿Ｍに対応するデータ量が相対的に大きい場合では、ルックアップメモリ２２０として外部ＤＲＡＭを使用する。また、ルックアップテーブルアクセスユニット２２４と校正値アクセスユニット２２８の間にＳＲＡＭ（スタティックランダムアクセスメモリ）をキャッシュメモリとして入れて、データアクセス速度を増やすこともできる。例えば、ガンマテーブルＧＡＴ＿１〜ＧＡＴ＿Ｍのデータ量が相対的に小さい場合、ルックアップテーブルアクセスユニット２２４はブートストラップ段階で、ルックアップメモリ２２０に保存されたガンマテーブルＧＡＴ＿１〜ＧＡＴ＿Ｍ（ガンマテーブルＧＡＴ＿ａ〜ＧＡＴ＿ｄを含む）を全部キャッシュメモリに転送することができる。それに反して、ガンマテーブルＧＡＴ＿１〜ＧＡＴ＿Ｍのデータ量と所要のメモリ空間が大きい場合、キャッシュメモリでルックアップテーブルアクセスユニット２２４により読み込まれたルックアップテーブルの一部（ガンマテーブルＧＡＴ＿ａ〜ＧＡＴ＿ｄを含む）のみ保存することができる。注意すべきは、前掲メモリ構成と関連データ転送は輝度校正コントローラ１０２の可能なアクセス方法とインターフェイスを説明するに過ぎず、本発明の主目的にかなった限りでは、当業者によりシステム要求に応じて種々の修正を加えることができる。
【００１６】
本発明の主要な概念は、入力ピクセルに隣接したサンプリングピクセルのガンマテーブルから選ばれた対応するグレイレベルの輝度校正値に基づいて、特定のグレイレベルを有する入力ピクセルの輝度校正値を判定することにある。一部のピクセル（サンプリングピクセル）のガンマテーブルを利用すれば、全ピクセルの輝度校正が実行できる。
【００１７】
前記表示装置１００の動作方法に基づいて、図３に示すような制御プロセス３０が得られる。制御プロセス３０は以下のステップを含む。
【００１８】
ステップ３００：開始。
【００１９】
ステップ３０２：隣接サンプリングピクセル判定ユニット２２２は入力ピクセルＩＮＰ＿ｉの座標とサンプリングピクセルＳＰ＿ａ、ＳＰ＿ｂ、ＳＰ＿ｃ、ＳＰ＿ｄの座標に基づいて、入力ピクセルＩＮＰ＿ｉに隣接したサンプリングピクセルＳＰ＿ａ、ＳＰ＿ｂ、ＳＰ＿ｃ、ＳＰ＿ｄを定める。
【００２０】
ステップ３０４：ルックアップアクセスユニット２２４はガンマテーブルＧＡＴ＿ａ、ＧＡＴ＿ｂ、ＧＡＴ＿ｃ、ＧＡＴ＿ｄを読み込む。
【００２１】
ステップ３０６：校正値アクセスユニット２２８はグレイレベルＧＬ＿ｉを有する入力ピクセルＩＮＰ＿ｉに基づいて、グレイレベルＧＬ＿ｉに対応する輝度校正値δＥ＿ａ、δＥ＿ｂ、δＥ＿ｃ、δＥ＿ｄをガンマテーブルＧＡＴ＿ａ、ＧＡＴ＿ｂ、ＧＡＴ＿ｃ、ＧＡＴ＿ｄから検出する。
【００２２】
ステップ３０８：補償計算ユニット２３０は入力ピクセルＩＮＰ＿ｉとサンプリングピクセルＳＰ＿ａ、ＳＰ＿ｂ、ＳＰ＿ｃ、ＳＰ＿ｄの座標、及び輝度校正値δＥ＿ａ、δＥ＿ｂ、δＥ＿ｃ、δＥ＿ｄに基づいて、入力ピクセルＩＮＰ＿ｉの輝度校正値δＥ＿ｉを計算する。
【００２３】
ステップ３１０：校正出力ユニット２３２はグレイレベルＧＬ＿ｉと輝度校正値δＥ＿ｉの和を計算し、その結果をパネルＰＡＮＥＬに出力する。
【００２４】
ステップ３１２：終了。
【００２５】
前記制御プロセス３０の詳しい動作については前述を参照すればよく、ここで説明を省略する。
【００２６】
本発明はサンプリングピクセルのガンマテーブルで他ピクセルのガンマテーブルを算出するので、各入力ピクセルの輝度は校正できる。本発明は単色の画像信号の輝度校正にも適用でき、その効果は同様に良好である。
【００２７】
まとめて言えば、本発明は限られた数のガンマテーブルを利用して、表示スクリーンのピクセル全体の輝度校正を行うことができるので、輝度均一性が向上して高画質の表示装置という要求が満足されるのみならず、メモリ空間とコストも削減できる。
【００２８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図１】
2011039477.tif 000003
【図２Ａ】
2011039477.tif 000004
【図２Ｂ】
2011039477.tif 000005
【図３】
2011039477.tif 000006